(57)【要約】本発明は、系保持体（１）を備えたドア扉駆動装置であって、系保持体（１）にドアクロージャ（６）及びその他の構成部材が配置されており、ドアクロージャ（６）が、該ドアクロージャ（６）の駆動軸（８）が可能な限り系保持体（１）の一端部の近傍に位置するように、系保持体（１）に取り付けられていることを特徴とするドア扉駆動装置に関する。このように構成されていると、単純な構造を有していて、保守が容易であり、それにもかかわらず寸法がリーズナブルであるドア扉駆動装置が得られる。
2006516312.tif 000002
【特許請求の範囲】
【請求項１】
系保持体（１）を備えたドア扉駆動装置であって、系保持体（１）にドアクロージャ（６）及びその他の構成部材が配置されており、ドアクロージャ（６）は、該ドアクロージャ（６）の駆動軸（８）が可能な限り系保持体（１）の一端部の近傍に位置するように、系保持体（１）に取り付けられていることを特徴とするドア扉駆動装置。
【請求項２】
前記その他の構成部材が主として、電源部材（２）、駆動モータ（３）、ポンプ（５）を備えた液圧ブロック（４）及びスイッチブロック（７）を有している、請求項１記載のドア扉駆動装置。
【請求項３】
電源部材（２）、駆動モータ（３）、ポンプ（５）を備えた液圧ブロック（４）及びスイッチブロック（７）が、記載の順番で相前後して位置するように系保持体（１）に配置されている、請求項１又は２記載のドア扉駆動装置。
【請求項４】
液圧ブロック（４）がポンプ（５）の前に配置されている、請求項１から３までのいずれか１項記載のドア扉駆動装置。
【請求項５】
液圧ブロック（４）がポンプ（５）の後ろに配置されている、請求項１から３までのいずれか１項記載のドア扉駆動装置。
【請求項６】
系保持体（１）とドアクロージャ（６）との間にだけ、摩擦力結合式及び形状結合式の結合部が存在している、請求項１から５までのいずれか１項記載のドア扉駆動装置。
【請求項７】
ドアクロージャ（６）に、有利にはドアクロージャ（６）の上側に、制御プレート（９）が固定されている、請求項１から６までのいずれか１項記載のドア扉駆動装置。
【請求項８】
制御プレート（９）に、該制御プレート（９）の下に位置するドアクロージャ（６）を調節するため、特にドアクロージャ（６）の弁（１１）を調節するための孔（１０）が配置されている、請求項１から７までのいずれか１項記載のドア扉駆動装置。
【請求項９】
単にスイッチブロック（７）のスイッチだけを覆わないカバーフードが設けられている、請求項１から８までのいずれか１項記載のドア扉駆動装置。
【請求項１０】
系保持体（１）がその一方の端面に係止開口（１３）を備え、かつ他方の端面にカバーフード用の保持ばね（１４）を備えている、請求項１から９までのいずれか１項記載のドア扉駆動装置。
【請求項１１】
カバーフードが、係止開口（１３）に係合する係止ピンを備えている、請求項１から１０までのいずれか１項記載のドア扉駆動装置。
【発明の詳細な説明】
【技術分野】
【０００１】
本発明は、ドアクロージャを備えた液圧式のドア扉駆動装置に関する。
【０００２】
ドア扉駆動装置は、周知の技術であり、例えば回転ドアを駆動するために使用される。ドア扉駆動装置は取付けプレートを有しており、この取付けプレートにはドア扉駆動装置の個々の構成部材、例えば電源部材、駆動装置、ポンプ、ドアクロージャ及びスイッチブロック等が支承されている。ドア扉駆動装置が故障又は損傷した場合には、通常、故障した構成部材を修理もしくは交換するために、ドア扉駆動装置全体を取り外すことが必要である。このような作業は時間がかかるだけではなく、コストの点でも不都合である。
【０００３】
ゆえに本発明の課題は、上に述べた欠点を排除すべくドア扉駆動装置を改良して、単純な構造を有していて、保守が簡単であり、それにもかかわらず寸法的にもリーズナブルであるドア扉駆動装置を提供することである。
【０００４】
この課題を解決するために本発明によるドア扉駆動装置では、請求項１記載のように構成されている。
【０００５】
本発明の構成ではドア扉駆動装置が、ドアクロージャ及びその他の構成部材が配置されている系保持体を備えており、しかも、ドアクロージャの駆動軸が可能な限り系保持体の端部の近傍に位置するように、構成されており、これによって、駆動装置の動力学全体に影響を及ぼすいわゆる後軸寸法（Hinterachsmass）を可能な限り小さく保つことができる。
【０００６】
ポンプ及び該ポンプに続く液圧ブロック並びに駆動モータは、ドアクロージャに直接固定されている。このような配置形式によって、系保持体からドアクロージャを解離すると、ポンプ、液圧ブロック及びモータも同様に離れることになる。従ってこれらの構成群を簡単に交換することや分解することができる。ポンプを直接フランジ結合することによって、付加的な液圧管路及び液圧ブロックを通る液圧管路を節約することができる。それというのは、接続通路はポンプ及び液圧ブロックを通って直接ドアクロージャに通じるからである。さらにこのような配置形式によって、液圧媒体の量も少量に抑えられる。
【０００７】
ドアクロージャの上には、該ドアクロージャに固定された制御プレートが配置されている。
【０００８】
モータに接続して電源部材が配置されており、この電源部材はドアクロージャのそばで同様に系保持体に直接固定されている。
【０００９】
ドアクロージャの側において系保持体の端部には、ハウジングから遮音されて、スイッチブロックが設けられており、このスイッチブロックは複数のスイッチ、例えば電源スイッチ、プログラムスイッチ又は、特殊機能をもつその他のスイッチから成っている。これらのスイッチはこの場合、色合いをマッチング可能なカバー膜におって被覆されることができる。
【００１０】
本発明によるドア扉駆動装置の前記構造は、カバーフードによって覆われる。このカバーフードは、例えば、凹設部に係合するピンと保持ばねとを用いて固定される。
【００１１】
上述のように構成されていることによって本発明によるドア扉駆動装置は、個々の構成部材を簡単かつ迅速に交換することができる。さらにこのような構造によって、取付けがし易い特に小型構造のドア扉駆動装置が提供される。
【００１２】
本発明の別の有利な構成は、請求項２以下に記載されている。
【００１３】
次に図面を参照しながら本発明の有利な実施例を説明する。
【００１４】
図１は、本発明によるドア扉駆動装置を一方の側から見た斜視図であり、
図２は、本発明によるドア扉駆動装置を他方の側から見た斜視図であり、
図３は、本発明によるドア扉駆動装置の側面図である。
【００１５】
本発明によるドア扉駆動装置は、系保持体１を有しており、この系保持体１は図示されていないドア、ドアフレーム又はこれに類したものに固定される。系保持体１にはドア扉駆動装置の個々の構成部材が配置されており、そして系保持体１は少なくとも部分的にＵ字形に形成されている。
【００１６】
図１に示されているように、系保持体１の一方の端部には電源部材２が配置されており、この電源部材２には、駆動モータ３、ポンプ５を備えた液圧ブロック４、ドアクロージャ６及びスイッチブロック７が接続しており、スイッチブロック７は系保持体１の、電源部材２とは反対側の端部に配置されている。この場合ドアクロージャ６は、該ドアクロージャ６の被駆動軸８が可能な限り系保持体１の一端の近傍に配置されるように、系保持体１に支承されている。
【００１７】
また図１においては液圧ブロック４がポンプ５の前に位置しているが、この順番は交換することができ、その場合には、ポンプ５が液圧ブロック４の前に位置することになる。
【００１８】
ポンプ５及び液圧ブロック４は、駆動モータ３の側から単にクランプねじ１５だけを用いて、ドアクロージャ６にフランジ結合されている。液圧ブロック４内にはドア駆動装置を制御するために、弁、絞り、接続部材などが設けられている。
【００１９】
ドアクロージャ６の上には制御プレート９が取り付けられており、この制御プレート９には複数の孔１０が設けられていて、これらの孔１０を通して、ドアクロージャ６に配置された弁１１がアクセス可能及び調節可能である。
【００２０】
系保持体１の一方の端部に設けられたスイッチブロック７は、図２に示されているように３つのスイッチを備えた絶縁されたブロックとして形成されており、スイッチは例えば電源スイッチ、プログラムスイッチ及びベンチレーションスイッチとして働くことができる。もちろん、さらに多くの又はもっと少ない数のスイッチを設けることも可能である。
【００２１】
系保持体１は複数の固定開口１２を備えており、これらの固定開口１２は、前取り付けされたねじへの被せ嵌めと横方向移動とによって、ドア駆動装置をドア、ドアフレーム又はこれに類したものに保持するためのものである。前記被せ嵌め及び横方向移動の後で、ねじは引き締められ、これによりドア駆動装置の取付けが完了する。
【００２２】
系保持体１全体は図示されていないカバーフードを備えており、このカバーフードは、スイッチブロック７のスイッチを除いて、ドア扉駆動装置のすべての構成部材を覆う。このカバーフードは希望に合わせて、種々様々な色で準備することが可能であるので、周囲や個人的な嗜好への一体的なマッチングが可能である。
【００２３】
カバーフードを支承するために系保持体１は一方の側に係止切欠き１３を備えており、これらの係止切欠き１３には、カバーフードに配置された係止ピンが係合可能である。これらの係止切欠き１３は図示の実施例では、電源部材２の側に配置されている。他方の側（図示の実施例ではスイッチブロック７の側）に系保持体１は、カバーフードをしっかりとクランプする保持ばね１４を備えている。
【００２４】
図示の実施例は単に本発明の１実施例を示したものであり、本発明の範囲を制限するためのものではない。本発明の思想を逸脱することなしに、本発明の枠内において種々様々な実施態様が可能である。
【図面の簡単な説明】
【００２５】
【図１】本発明によるドア扉駆動装置を一方の側から見た斜視図である。
【００２６】
【図２】本発明によるドア扉駆動装置を他方の側から見た斜視図である。
【００２７】
【図３】本発明によるドア扉駆動装置の側面図である。
【符号の説明】
【００２８】
１  系保持体、  ２  電源部材、  ３  駆動モータ、  ４  液圧ブロック、  ５  ポンプ、  ６  ドアクロージャ、  ７  スイッチブロック、  ８  被駆動軸、  ９  制御プレート、  １０  孔、  １１  弁、  １２  固定開口、  １３  係止切欠き、  １４  保持ばね、  １５  クランプねじ
【図１】
2006516312.tif 000003
【図２】
2006516312.tif 000004
【図３】
2006516312.tif 000005
【国際調査報告】
2006516312.tif 000006
2006516312.tif 000007
2006516312.tif 000008
2006516312.tif 000009
2006516312.tif 000010
2006516312.tif 000011